(57)【要約】【課題】操作性及び機能性を維持したまま小型化を図ったリモコン装置及びテレビジョン受信機を提供する。【解決手段】リモコン装置４の側面に対してスライド移動及び回動可能なダイヤル４１を設け、このダイヤル４１が一方のスライド位置に配置された状態で回転することにより放送種別の選択を可能とし、他方のスライド位置に配置された状態で回転することによりチャンネル番号の選択を可能とした。これにより、従来の数字ボタンを多数配置する場合と比較して、操作性及び機能性を維持したままリモコン装置４に占める数字選択用のボタンの数を大幅に削減することができ、リモコンの小型化が可能となる。【選択図】図４
2008228175.tif 000002
【特許請求の範囲】
【請求項１】
リモコン装置と、当該リモコン装置により遠隔制御されるテレビジョン受信機本体と、を備えるテレビジョン受信機において、
前記リモコン装置は、
本体部と、
前記本体部の側面に、スライド移動及び回動可能に設けられたダイヤルと、
予め設定された複数の放送種別における一の放送種別及び予め設定された複数のチャンネル番号における一のチャンネル番号を表示する表示手段と、
前記ダイヤルのスライド移動によるスライド位置を検出するスライド検出手段と、
前記ダイヤルの回転角度を検出する角度検出手段と、
前記スライド検出手段により検出された前記ダイヤルのスライド位置に基づいて、前記複数の放送種別における一の放送種別を特定する第１特定手段と、
前記角度検出手段により検出された所定の回転角度ステップごとにチャンネル番号を回転方向に応じて増減して特定する第２特定手段と、
前記第１特定手段により特定された放送種別及び前記第２特定手段により特定されたチャンネル番号を前記表示手段に表示させる第１表示制御手段と、
前記第１特定手段により特定された放送種別及び第２特定手段により特定されたチャンネル番号に関する制御情報をテレビジョン受信機本体に送信する制御情報送信手段と、
を備え、
前記テレビジョン受信機本体は、
前記リモコン装置から送信される制御情報を受信する制御情報受信手段と、
前記制御情報受信手段により前記制御情報が受信された際、当該制御情報が受信されたことを前記リモコン装置が確認するための確認情報を前記リモコン装置に送信する確認情報送信手段と、
を備え、
前記リモコン装置は、
前記確認情報送信手段により送信された確認情報を受信する確認情報受信手段と、
前記確認情報受信手段により受信された確認情報をユーザに報知する報知手段と、
を備え
前記テレビジョン受信機本体は、
当該テレビジョン受信機本体が電源ＯＦＦとされた際に、当該電源ＯＦＦ時に選択されている放送種別及びチャンネル番号に関する状態情報を前記リモコン装置に送信する状態情報送信手段を備え、
前記リモコン装置は、
前記状態情報送信手段により送信された状態情報を受信する状態情報受信手段と、
前記状態情報受信手段により受信された状態情報を記憶する記憶手段と、
前記テレビジョン受信機本体の電源ＯＮ／ＯＦＦを行うための電源ＯＮ／ＯＦＦキーと、
前記電源ＯＮ／ＯＦＦキーにより前記テレビジョン受信機本体の電源がＯＮされた場合に、前記記憶手段に記憶された状態情報に基づく放送種別及びチャンネル番号を前記表示手段に表示させる第２表示制御手段と、
を備えることを特徴とするテレビジョン受信機。
【請求項２】
本体部と、
前記本体部にスライド移動及び回動可能に設けられたダイヤルと、
予め設定された複数の放送種別における一の放送種別及び予め設定された複数のチャンネル番号における一のチャンネル番号を表示する表示手段と、
前記ダイヤルのスライド移動によるスライド位置を検出するスライド検出手段と、
前記ダイヤルの回転角度を検出する角度検出手段と、
前記スライド検出手段により検出された前記ダイヤルのスライド位置に基づいて、前記複数の放送種別における一の放送種別を特定する第１特定手段と、
前記角度検出手段により検出された回転角度に応じて前記複数のチャンネル番号の中から一のチャンネル番号を特定する第２特定手段と、
前記第１特定手段により特定された放送種別及び前記第２特定手段により特定されたチャンネル番号を前記表示手段に表示させる第１表示制御手段と、
前記第１特定手段により特定された放送種別及び前記第２特定手段により特定されたチャンネル番号に関する制御情報をテレビジョン受信機本体に送信する制御情報送信手段と、
を備えることを特徴とするリモコン装置。
【請求項３】
請求項２記載のリモコン装置において、
前記第２特定手段は、
前記角度検出手段により検出された所定の回転角度ステップごとにチャンネル番号を回転方向に応じて増減して特定することを特徴とするリモコン装置。
【請求項４】
請求項２又は請求項３記載のリモコン装置において、
前記ダイヤルが、前記本体部の側面に設けられていることを特徴とするリモコン装置。
【請求項５】
請求項２又は請求項３記載のリモコン装置において、
前記ダイヤルが、前記本体部の上面に設けられるとともに、前記ダイヤルのスライド方向が、前記上面に対して平行であることを特徴とするリモコン装置。
【請求項６】
請求項２〜５の何れか一項に記載のリモコン装置と、当該リモコン装置により遠隔制御される前記テレビジョン受信機本体と、を備えるテレビジョン受信機において、
前記テレビジョン受信機本体は、
前記リモコン装置から送信される制御情報を受信する制御情報受信手段と、
前記制御情報受信手段により前記制御情報が受信された際、当該制御情報が受信されたことを前記リモコン装置が確認するための確認情報を前記リモコン装置に送信する確認情報送信手段と、を備え、
前記リモコン装置は、
前記確認情報送信手段により送信された確認情報を受信する確認情報受信手段と、
前記確認情報受信手段により受信された確認情報をユーザに報知する報知手段と、
を備えることを特徴とするテレビジョン受信機。
【請求項７】
請求項６記載のテレビジョン受信機において、
前記テレビジョン受信機本体は、
当該テレビジョン受信機本体が電源ＯＦＦとされた際に、当該電源ＯＦＦ時に選択されている放送種別及びチャンネル番号に関する状態情報を前記リモコン装置に送信する状態情報送信手段を備え、
前記リモコン装置は、
前記状態情報送信手段により送信された状態情報を受信する状態情報受信手段と、
前記状態情報受信手段により受信された状態情報を記憶する記憶手段と、
前記テレビジョン受信機本体の電源ＯＮ／ＯＦＦを行うための電源ＯＮ／ＯＦＦキーと、
前記電源ＯＮ／ＯＦＦキーにより前記テレビジョン受信機本体の電源がＯＮされた場合に、前記記憶手段に記憶された状態情報に基づく放送種別及びチャンネル番号を前記表示手段に表示させる第２表示制御手段と、
を備えることを特徴とするテレビジョン受信機。
【発明の詳細な説明】
【技術分野】
【０００１】
本発明は、リモコン装置及びテレビジョン受信機に関する。
【背景技術】
【０００２】
従来、電子機器を操作（制御）することができるリモートコントローラ（以下、「リモコン」という）などのリモコン装置が知られている。具体的には、リモコンは、押下可能なボタン部と、当該ボタン部が複数個配設された本体部と、により構成されており、ユーザによるボタン部の押下に伴って、当該押下されたボタン部の機能に対応した制御信号を電子機器に送信することができるようになっている。
【０００３】
ところで、近年、電子機器（例えば、テレビ等）のデジタル化により、機能の増加に伴ってリモコンに配置されるボタンの数も増加している。このボタン数の増加に伴い、ボタンの縮小による操作性の低下や、リモコン自体が大型化するという問題があった。
かかる問題に鑑みて、従来のリモコンにおいては、一つのボタンに複数の機能を設けるなどしてボタン数を減らすことにより、リモコンの小型化を図る対応が採られていた（例えば、特許文献１〜２参照）。
【特許文献１】特開２００５−２０４３１２号公報
【特許文献２】特開平０６−０８６１８５号公報
【発明の開示】
【発明が解決しようとする課題】
【０００４】
しかしながら、上記特許文献１及び特許文献２に開示されるリモコンにあっては、数字入力のための数字ボタンに関しては、操作性及び機能性を維持したまま小型化することが困難であったため、依然として数字ボタンがリモコン面積の多くを占めていた。このため、数字ボタンがリモコンの小型化を妨げる要因になっているという問題があった。
また、近年、ＢＳ放送、ＣＳ放送、地上波デジタル放送等の放送種別の種類が増え、これらを切替えるためのボタンの増加もリモコンの小型化を妨げる要因となっている。
【０００５】
本発明の課題は、操作性及び機能性を維持したまま小型化を図ったリモコン装置及びテレビジョン受信機を提供することである。
【課題を解決するための手段】
【０００６】
上記課題を解決するために、請求項１に記載の発明は、
リモコン装置と、当該リモコン装置により遠隔制御されるテレビジョン受信機本体と、を備えるテレビジョン受信機において、
前記リモコン装置は、
本体部と、
前記本体部の側面に、スライド移動及び回動可能に設けられたダイヤルと、
予め設定された複数の放送種別における一の放送種別及び予め設定された複数のチャンネル番号における一のチャンネル番号を表示する表示手段と、
前記ダイヤルのスライド移動によるスライド位置を検出するスライド検出手段と、
前記ダイヤルの回転角度を検出する角度検出手段と、
前記スライド検出手段により検出された前記ダイヤルのスライド位置に基づいて、前記複数の放送種別における一の放送種別を特定する第１特定手段と、
前記角度検出手段により検出された所定の回転角度ステップごとにチャンネル番号を回転方向に応じて増減して特定する第２特定手段と、
前記第１特定手段により特定された放送種別及び前記第２特定手段により特定されたチャンネル番号を前記表示手段に表示させる第１表示制御手段と、
前記第１特定手段により特定された放送種別及び第２特定手段により特定されたチャンネル番号に関する制御情報をテレビジョン受信機本体に送信する制御情報送信手段と、
を備え、
前記テレビジョン受信機本体は、
前記リモコン装置から送信される制御情報を受信する制御情報受信手段と、
前記制御情報受信手段により前記制御情報が受信された際、当該制御情報が受信されたことを前記リモコン装置が確認するための確認情報を前記リモコン装置に送信する確認情報送信手段と、
を備え、
前記リモコン装置は、
前記確認情報送信手段により送信された確認情報を受信する確認情報受信手段と、
前記確認情報受信手段により受信された確認情報をユーザに報知する報知手段と、を備え
前記テレビジョン受信機本体は、
当該テレビジョン受信機本体が電源ＯＦＦとされた際に、当該電源ＯＦＦ時に選択されている放送種別及びチャンネル番号に関する状態情報を前記リモコン装置に送信する状態情報送信手段を備え、
前記リモコン装置は、
前記状態情報送信手段により送信された状態情報を受信する状態情報受信手段と、
前記状態情報受信手段により受信された状態情報を記憶する記憶手段と、
前記テレビジョン受信機本体の電源ＯＮ／ＯＦＦを行うための電源ＯＮ／ＯＦＦキーと、
前記電源ＯＮ／ＯＦＦキーにより前記テレビジョン受信機本体の電源がＯＮされた場合に、前記記憶手段に記憶された状態情報に基づく放送種別及びチャンネル番号を前記表示手段に表示させる第２表示制御手段と、
を備えることを特徴とする。
【０００７】
請求項２記載の発明は、リモコン装置において、
本体部と、
前記本体部にスライド移動及び回動可能に設けられたダイヤルと、
予め設定された複数の放送種別における一の放送種別及び予め設定された複数のチャンネル番号における一のチャンネル番号を表示する表示手段と、
前記ダイヤルのスライド移動によるスライド位置を検出するスライド検出手段と、
前記ダイヤルの回転角度を検出する角度検出手段と、
前記スライド検出手段により検出された前記ダイヤルのスライド位置に基づいて、複数の放送種別における一の放送種別を特定する第１特定手段と、
前記角度検出手段により検出された回転角度に応じて前記複数のチャンネル番号の中から一のチャンネル番号を特定する第２特定手段と、
前記第１特定手段により特定された放送種別及び前記第２特定手段により特定されたチャンネル番号を前記表示手段に表示させる第１表示制御手段と、
前記第１特定手段により特定された放送種別及び前記第２特定手段により特定されたチャンネル番号に関する制御情報をテレビジョン受信機本体に送信する制御情報送信手段と、
を備えることを特徴とする。
【０００８】
請求項３記載の発明は、請求項２記載のリモコン装置において、
前記第２特定手段は、
前記角度検出手段により検出された所定の回転角度ステップごとにチャンネル番号を回転方向に応じて増減して特定することを特徴とする。
【０００９】
請求項４記載の発明は、請求項２又は請求項３記載のリモコン装置において、
前記ダイヤルが、前記本体部の側面に設けられていることを特徴とする。
【００１０】
請求項５記載の発明は、請求項２又は請求項３記載のリモコン装置において、
前記ダイヤルが、前記本体部の上面に設けられるとともに、前記ダイヤルのスライド方向が、前記上面に対して平行であることを特徴とする。
【００１１】
請求項６記載の発明は、請求項２〜５の何れか一項に記載のリモコン装置と、当該リモコン装置により遠隔制御される前記テレビジョン受信機本体と、を備えるテレビジョン受信機において、
前記テレビジョン受信機本体は、
前記リモコン装置から送信される制御情報を受信する制御情報受信手段と、
前記制御情報受信手段により前記制御情報が受信された際、当該制御情報が受信されたことを前記リモコン装置が確認するための確認情報を前記リモコン装置に送信する確認情報送信手段と、を備え、
前記リモコン装置は、
前記確認情報送信手段により送信された確認情報を受信する確認情報受信手段と、
前記確認情報受信手段により受信された確認情報をユーザに報知する報知手段と、
を備えることを特徴とする。
【００１２】
請求項７記載の発明は、請求項６記載のテレビジョン受信機において、
前記テレビジョン受信機本体は、
当該テレビジョン受信機本体が電源ＯＦＦとされた際に、当該電源ＯＦＦ時に選択されている放送種別及びチャンネル番号に関する状態情報を前記リモコン装置に送信する状態情報送信手段を備え、
前記リモコン装置は、
前記状態情報送信手段により送信された状態情報を受信する状態情報受信手段と、
前記状態情報受信手段により受信された状態情報を記憶する記憶手段と、
前記テレビジョン受信機本体の電源ＯＮ／ＯＦＦを行うための電源ＯＮ／ＯＦＦキーと、
前記電源ＯＮ／ＯＦＦキーにより前記テレビジョン受信機本体の電源がＯＮされた場合に、前記記憶手段に記憶された状態情報に基づく放送種別及びチャンネル番号を前記表示手段に表示させる第２表示制御手段と、
を備えることを特徴とする。
【発明の効果】
【００１３】
請求項１に記載の発明によれば、スライド検出手段が検出したダイヤルのスライド移動によるスライド位置に応じて、第１特定手段が複数の放送種別から一の放送種別を特定することができる。また、その特定した放送種別を、第１表示制御手段によって表示手段に表示することができると共に制御情報送信手段によってテレビジョン受信機本体に送信することができる。また、角度検出手段が検出したダイヤルの回動位置に基づき、第２特定手段が所定の回転角度ステップごとに複数のチャンネル番号から一のチャンネル番号を特定することができ、その特定したチャンネル番号を、第１表示制御手段によって表示手段に表示することができると共に制御情報送信手段によってテレビジョン受信機本体に送信することができる。
【００１４】
つまり、ダイヤルをスライド操作及び回動操作することにより、所望の放送種別及び所望のチャンネル番号を容易に選択することができる。また、ユーザは、表示手段に表示される放送種別の種類やチャンネルを確認しながら、感覚的にチャンネル選局用ダイヤルを操作することができるため、操作性の向上が図られる。また、例えば、本体部に数字入力用のボタンが多数配置された従来のリモコン装置に比べて、リモコン装置面積の大部分を占める数字入力用のボタンを必要としないため、操作性及び機能性を維持したままリモコン装置の小型化を図ることができる。また、従来のリモコン装置に比べて本体部の大きさを大型化することなく機能の増加に対応することができる。
【００１５】
さらに、放送種別又はチャンネル番号に関する制御情報がテレビジョン受信機本体の制御情報受信手段により受信されると、その受信した旨の確認情報を確認情報送信手段によってリモコン装置に送信することができ、リモコン装置の確認情報受信手段において上記確認情報が受信されると、当該確認情報受信手段において確認情報を受信したことを報知手段によってユーザに報知することができる。つまり、ユーザは、リモコン装置を操作することで選択した放送種別とチャンネル番号とが、テレビジョン受信機本体において認識されているか否かを確認することができる。
【００１６】
さらに、状態情報送信手段により、テレビジョン受信機本体が電源ＯＦＦとされた際に選択されている放送種別及びチャンネル番号に関する状態情報をリモコン装置に送信することができる。そして、リモコン装置は、上記状態情報送信手段によって送信された状態情報を記憶手段において記憶することができる。また、リモコン装置に設けられた電源ＯＮ／ＯＦＦキーによりテレビジョン受信機本体の電源がＯＮとされた場合に、記憶手段に記憶された状態情報に基づく放送種別及びチャンネル番号を第２表示制御手段によって表示手段に表示することができる。
【００１７】
つまり、テレビジョン受信機本体が電源ＯＦＦの際にダイヤルが操作された場合であっても、電源ＯＮ／ＯＦＦキーによりテレビジョン受信機本体の電源がＯＮとされた場合には、該ダイヤルの表示手段に表示される放送種別及びチャンネル番号と、テレビジョン受信機本体側において選択されている放送種別及びチャンネルとを常に対応させることができる。
また、ダイヤルは、本体部の側面に設けられているので、本体部の上面に他のボタンを配置することができ、より一層の機能の増加に対応できる。
【００１８】
請求項２記載のリモコン装置によれば、スライド検出手段が検出したダイヤルのスライド移動によるスライド位置に応じて、第１特定手段により、複数の放送種別から一の放送種別を特定することができ、その特定した放送種別を、第１表示制御手段によって表示手段に表示することができると共に制御情報送信手段によってテレビジョン受信機本体に送信することができる。また、角度検出手段が検出したダイヤルの回動位置に基づき、第２特定手段により、複数のチャンネル番号から一のチャンネル番号を特定することができ、その特定したチャンネル番号を、第１表示制御手段によって表示手段に表示することができると共に制御情報送信手段によってテレビジョン受信機本体に送信することができる。
【００１９】
つまり、選局用ダイヤルをスライド操作及び回動操作することにより、所望の放送種別及び所望のチャンネルを容易に選択することができる。また、例えば、数字入力用のボタンが多数配置された従来のリモコン装置に比べて、操作性を低下させることなくリモコン装置の小型化を図ることができる。また、リモコン装置の面積の大部分を占める数字入力用のボタンを必要としないため、従来のリモコン装置に比べて本体部の大きさを大型化することなく機能の増加に対応することができる。
【００２０】
請求項３に記載のリモコン装置によれば、請求項２に記載の発明と同様の効果を得ることができる他、特に、第２特定手段は、角度検出手段によって検出された所定の回転角度ステップごとにチャンネル番号を回転方向に応じて増減して特定することができる。すなわち、角度検出手段によって検出されたダイヤルの所定の回転角度ステップごとにチャンネル番号を変更して特定する構成としたことで、ユーザが所望のチャンネル番号を選択する際のダイヤルの回転操作量の把握が容易となり、チャンネル番号の特定が容易となって操作性の向上が図られる。
【００２１】
請求項４に記載の発明によれば、請求項２又は請求項３に記載のリモコン装置と同様の効果を得ることができる他、特に、本体部の側面にダイヤルを設けたことにより、本体部の上面に他のボタンを配置することができ、より一層の機能の増加に対応できる。
【００２２】
請求項５に記載の発明によれば、請求項２又は請求項３に記載のリモコン装置と同様の効果を得ることができる他、特に、本体部の上面にダイヤルを設け、ダイヤルのスライド方向を上面に平行としたことにより、ダイヤルを片手で操作し易くなることとなって、より操作性に優れたものとすることができる。
【００２３】
請求項６に記載の発明によれば、請求項２〜５記載のリモコン装置と同様の効果を得ることができる他、特に、第２特定手段により特定された放送種別又はチャンネル番号に関する制御情報がテレビジョン受信機本体の制御情報受信手段により受信されると、その受信した旨の確認情報を確認情報送信手段によってリモコン装置に送信することができ、リモコン装置の確認情報受信手段において上記確認情報が受信されると、当該確認情報受信手段において確認情報を受信したことを報知手段によってユーザに報知することができる。つまり、ユーザは、リモコン装置を操作することで選択した放送種別とチャンネル番号とが、テレビジョン受信機本体で認識されているか否かを容易に確認することができる。
【００２４】
請求項７に記載の発明によれば、請求項６記載のテレビジョン受信機と同様の効果を得ることができる他、特に、状態情報送信手段により、テレビジョン受信機本体が電源ＯＦＦとされた際に選択されている放送種別及びチャンネル番号に関する状態情報をリモコン装置に送信することができる。そして、リモコン装置は、上記状態情報送信手段によって送信された状態情報を記憶手段において記憶することができる。また、リモコン装置に設けられた電源ＯＮ／ＯＦＦキーによりテレビジョン受信機本体の電源がＯＮとされた場合に、記憶手段に記憶された状態情報に基づく放送種別及びチャンネル番号を第２表示制御手段によって表示手段に表示することができる。
【００２５】
つまり、テレビジョン受信機本体が電源ＯＦＦの際にチャンネル選局用ダイヤルが操作された場合であっても、電源ＯＮ／ＯＦＦキーによりテレビジョン受信機本体の電源がＯＮとされた場合には、該チャンネル選局用ダイヤルの表示手段に表示される放送種別及びチャンネル番号と、テレビジョン受信機本体側において選択されている放送種別及びチャンネルとを常に対応させることができる。
【発明を実施するための最良の形態】
【００２６】
以下、図を参照して本発明に係るリモコン装置及びテレビジョン受信機の最良の形態を詳細に説明する。なお、発明の範囲は、以下の説明及び図示例に限定されない。
【００２７】
＜テレビジョン受信機の構成＞
まず、テレビジョン受信機１（以下、「ＴＶ受信機１」とする）の構成について、図１〜図３を参照して説明する。
ＴＶ受信機１は、図１に示すように、テレビジョン受信機本体２（以下、「ＴＶ受信機本体２」とする）と、このＴＶ受信機本体２を遠隔制御するためのリモコン装置４と、を備えている。
【００２８】
（ＴＶ受信機本体の構成）
ＴＶ受信機本体２は、例えば、ＢＳ放送、ＣＳ放送、地上波デジタル放送、地上波アナログ放送に基づく映像、外部機器と接続して外部入力された映像を出力可能となっており、例えば、図１及び図２に示すように、アンテナ２１ａを有するチューナ２１と、復調器２２と、デコーダ２３と、リモコン信号受信部２６と、本体情報送信部２７と、制御部２９とを備えていて、各部は、バス２０によって接続されている。また、ＴＶ受信機本体２には、デコーダ２３と接続された音声出力部２４や映像表示部２５などが設けられている。
【００２９】
チューナ２１は、テレビジョン放送信号（以下、「ＴＶ放送信号」という）を受信するものであり、具体的には、制御部２９から入力される制御信号に従って、アンテナ２１ａで受信したＴＶ放送信号（例えば、デジタル方式のＴＶ放送信号）の中から、ユーザ所望の放送番組のチャンネルに対応する周波数帯域に存在するＴＶ放送信号を受信する。そして、当該ＴＶ放送信号を変調して、中間周波信号を復調器２２に出力する。
【００３０】
復調器２２は、制御部２９から入力される制御信号に従って、チューナ２１から出力された中間周波信号に対してデジタル復調や誤り訂正などの処理を施して、ストリーム（例えば、トランスポートストリーム）をデコーダ２３に出力する。
【００３１】
デコーダ２３は、制御部２９から入力される制御信号に従って、復調器２２から出力されたトランスポートストリームを解読して、当該トランスポートストリームを構成する各トランスポートパケットを判別し、ユーザ所望の放送番組に関連するトランスポートパケットにかかるデータを、圧縮音声データと圧縮映像データとに分離する。そして、当該圧縮音声データをデコードして、音声データを音声出力部２４に出力するとともに、当該圧縮映像データをデコードして、映像データを映像表示部２５に出力する。
【００３２】
音声出力部２４は、例えば、スピーカ機器等であり、デコーダ２３から出力された音声データに基づく音声を出力する。
【００３３】
映像表示部２５は、例えば、液晶表示機器等であり、デコーダ２３から出力された映像データに基づく映像を表示する。
【００３４】
リモコン信号受信部２６は、リモコン装置４から送信されたリモコン信号を受信して、制御部２９に出力する。
【００３５】
ここで、リモコン信号には、例えば、放送種別やチャンネル番号に関する制御情報が含まれている。
放送種別とは、例えば、ＢＳ放送、ＣＳ放送、地上波デジタル放送、地上波アナログ放送、外部入力等の、予め設定された放送種別のことである。
チャンネル番号とは、予め設定された複数のチャンネル番号（例えば、１〜１２）のうち、後述するダイヤル４１の回転角度（回動位置）に基づき選択された一のチャンネル番号のことである。そして、各チャンネル番号には、個々の放送種別において、各々の番号に予め別々の周波数帯域が対応付けられている。
したがって、例えば、ＴＶ受信機本体２のチューナ２１で受信するＴＶ放送信号の放送種別を切替えるためのリモコン信号は、ＴＶ受信機本体２のチューナ２１で受信するＴＶ放送信号の放送種別を切替えるためのコマンドを示すデータコード等を含むリモコン信号であり、例えば、ＴＶ受信機本体２のチューナ２１で受信するＴＶ放送信号のチャンネル番号を切替えるためのリモコン信号は、ＴＶ受信機本体２のチューナ２１で受信するＴＶ放送信号のチャンネル番号を切替えるためのコマンドを示すデータコード等を含むリモコン信号である。
【００３６】
本体情報送信部２７は、制御部２９から入力される制御信号に従って、例えば、ＴＶ受信機本体２の電源ＯＮから電源ＯＦＦへの切換時に、ＴＶ受信機本体２の電源がＯＦＦである旨を示す電源情報である電源ＯＦＦ情報を、赤外線等によって、リモコン装置４に送信する。
また、本体情報送信部２７は、例えば、ＣＰＵ２９１において、上記リモコン信号受信部２６が制御情報を含むリモコン信号を受信したことが確認された際に、ＣＰＵ２９１からの制御信号に従って、当該制御情報を受信した旨の確認情報を、リモコン装置４に送信する。
さらに、本体情報送信部２７は、例えば、ＴＶ受信機本体２が電源ＯＦＦとされた際に、ＣＰＵ２９１からの制御信号に従って、当該電源ＯＦＦ時に選択されている放送種別及びチャンネル番号に関する状態情報をリモコン装置４に送信する。
【００３７】
制御部２９は、例えば、図２に示すように、ＣＰＵ（Central Processing Unit）２９１と、ＲＡＭ（Random Access Memory）２９２と、ＲＯＭ（Read Only Memory）２９３と、を備えている。
【００３８】
ＣＰＵ２９１は、ＲＯＭ２９３に記憶されたＴＶ受信機本体２用の各種処理プログラムに従って各種の制御動作を実行する。
【００３９】
ＲＡＭ２９２は、ＣＰＵ２９１によって実行される処理プログラムなどを展開するためのプログラム展開領域や、入力データや上記処理プログラムが実行される際に生じる処理結果などを格納するデータ格納領域などを備えている。
【００４０】
ＲＯＭ２９３には、ＴＶ受信機本体２で実行可能なシステムプログラム、当該システムプログラムで実行可能な各種処理プログラム、これら各種処理プログラムを実行する際に使用されるデータなどが記憶されている。なお、プログラムは、コンピュータが読み取り可能なプログラムコードの形でＲＯＭ２９３に記憶されている。
【００４１】
具体的に、ＲＯＭ２９３には、例えば、リモコン信号解析プログラム２９３ａと、確認情報送信制御プログラム２９３ｂと、電源情報送信制御プログラム２９３ｃと、状態情報送信制御プログラム２９３ｄと、等が記憶されている。
【００４２】
リモコン信号解析プログラム２９３ａは、例えば、リモコン信号受信部２６で受信したリモコン信号に含まれる各種制御情報を解析する機能を、ＣＰＵ２９１に実現させる。
具体的に、ＣＰＵ２９１は、リモコン信号受信部２６から信号が入力されると、その信号に含まれる各種制御情報を解析し、放送種別やチャンネル番号に関する制御情報に対応付けられた放送種別及びチャンネルを受信するようにチューナ２１に信号を送信する。
ＣＰＵ２９１は、かかるリモコン信号解析プログラム２９３ａを実行することにより、リモコン信号解析手段として機能する。
【００４３】
確認情報送信制御プログラム２９３ｂは、例えば、リモコン信号受信部２６がリモコン信号を受信した際に、制御部２９から入力される制御信号に従って、本体情報送信部２７からリモコン装置４に、当該リモコン信号を受信した旨の確認情報を送信させる機能を、ＣＰＵ２９１に実現させる。
具体的に、ＣＰＵ２９１は、リモコン信号受信部２６においてリモコン信号が受信され、該リモコン信号受信部２６から当該リモコン信号を受信した旨の信号が入力されると、確認情報送信制御プログラム２９３ｂに従って、本体情報送信部２７からリモコン装置４に当該リモコン信号を受信した旨の確認情報を送信させる。
ＣＰＵ２９１は、かかる確認情報送信制御プログラム２９３ｂを実行することにより、確認情報送信手段として機能する。
【００４４】
電源情報送信制御プログラム２９３ｃは、例えば、ＴＶ受信機本体２の電源ＯＮから電源ＯＦＦへの切換時に、本体情報送信部２７に制御信号を入力して、ＴＶ受信機本体２の電源がＯＦＦである旨を示す電源情報（電源ＯＦＦ情報）を、リモコン装置４に送信させる機能を、ＣＰＵ２９１に実現させる。
具体的に、ＣＰＵ２９１は、例えば、リモコン信号受信部２６から、リモコン装置４の電源キー４１ａが押下された旨のリモコン信号を受信したり、或いは、ＴＶ受信機本体２の図示しない電源スイッチが押下されたりすることで、当該ＴＶ受信機本体２の電源がＯＦＦとされた際に、ＲＯＭ２９３内に格納されている電源情報送信制御プログラム２９３ｃに従って、当該ＴＶ受信機本体２の電源がＯＦＦとされた旨を示す電源ＯＦＦ情報を本体情報送信部２７からリモコン装置４に送信させる。
ＣＰＵ２９１は、かかる電源情報送信制御プログラム２９３ｃを実行することで、電源情報送信手段として機能する。
【００４５】
状態情報送信制御プログラム２９３ｄは、例えば、ＴＶ受信機本体２の電源ＯＮから電源ＯＦＦへの切換時に、制御部２９から本体情報送信部２７に制御信号を入力して、当該電源ＯＦＦへの切換時に選択されている放送種別及びチャンネル番号に関する状態情報をリモコン装置４に送信させる機能を、ＣＰＵ２９１に実現させる。
具体的に、ＣＰＵ２９１は、例えば、リモコン信号受信部２６から、リモコン装置４の電源キー４１ａが押下された旨のリモコン信号を受信したり、或いは、ＴＶ受信機本体２の図示しない電源スイッチが押下されたりすることで、当該ＴＶ受信機本体２の電源がＯＦＦとされた際に、ＲＯＭ２９３内に格納されている状態情報送信制御プログラム２９３ｄに従って、ＴＶ受信機本体２が電源ＯＦＦとされる直前に選択されていた放送種別及びチャンネル番号に関する状態情報を、本体情報送信部２７からリモコン装置４に送信させる。
ＣＰＵ２９１は、かかる状態情報送信制御プログラム２９３ｄを実行することにより、状態情報送信手段として機能する。
【００４６】
（リモコン装置の構成）
リモコン装置４は、例えば、図１及び図３に示すように、本体部４ａと、ダイヤル４１と、リモコン信号送信部４６と、本体情報受信部４７と、記憶部４８と、制御部４９と、表示部４４と、報知部４５と、リニアエンコーダ４２と、ロータリエンコーダ４３と、を備えていて、各部は、バス４０により接続されている。
【００４７】
本体部４ａには、ＴＶ受信機２の電源のＯＮ／ＯＦＦを切替える電源キー４１ａが設けられている。
【００４８】
ダイヤル４１は、例えば、図４に示すように、本体部４ａの側面に取り付けられており、軸方向に対してスライド移動及び軸４１ａを中心に回動可能に設けられている。
【００４９】
リニアエンコーダ４２は、ダイヤル４１の軸方向に沿うスライド移動によるスライド位置を検出する本発明のスライド検出手段として機能する。このリニアエンコーダ４２は、ユーザのスライド操作によるダイヤル４１の軸方向に対する位置変化に応じて変化する検出信号を制御部４９に出力する。
【００５０】
ロータリエンコーダ４３は、ダイヤル４１の回転角度を検出する本発明の角度検出手段として機能する。このロータリエンコーダ４３は、ユーザのダイヤル操作によるダイヤル４１の回転角度の変化に応じて変化する検出信号を制御部４９に出力する。
【００５１】
表示部４４は、例えば、本体部４ａの上面に設けられた液晶表示部等からなり、図４に示すように、例えば、ＢＳ放送、ＣＳ放送、地上波デジタル放送、地上波アナログ放送、外部入力等の、予め設定された複数の放送種別のうち、上記ダイヤル４１のスライド位置に基づき選択された一の放送種別の種類が表示される。また、この表示部４４には、予め設定された複数のチャンネル番号（例えば、１〜１２）のうち、ダイヤル４１の回転角度（回動位置）に基づき選択された一のチャンネル番号（例えば、図４では１）が表示される。
【００５２】
報知部４５は、後述するリモコン信号送信部４６からＴＶ受信機本体２にリモコン信号を送信した後、ＴＶ受信機本体２から送信される確認信号を後述する本体情報受信部４６が受信した際に、当該確認信号を受信した旨をユーザに報知するためのものであり、本発明の報知手段として機能する。かかる報知部４５として、例えば、本体部４ａの上面にＬＥＤランプ等が設けられている。かかる報知手段としては、例えば、リモコン装置４を操作するユーザに振動や音で報知することとしてもよい。
【００５３】
リモコン信号送信部４６は、制御部４９から入力される制御信号に従って、例えば、ＴＶ受信機本体２を遠隔制御するためのリモコン信号を、ＴＶ受信機本体２のリモコン信号受信部２６に送信する。
ここで、上述したように、本実施形態のリモコン信号には、例えば、リニアエンコーダ４２やロータリエンコーダ４３からの検出結果に基づき、特定される放送種別やチャンネル番号に関する制御情報が含まれている。
【００５４】
本体情報受信部４７は、ＴＶ受信機本体２の本体情報送信部から送信される確認情報を受信する本発明の確認情報受信手段として機能し、その受信した確認情報をリモコン装置４の制御部４９に出力する。
また、本体情報受信部４７は、例えば、ＴＶ受信機本体２の本体情報送信部２７から送信される該ＴＶ受信機本体２の電源ＯＮ／ＯＦＦ情報を受信する電源情報受信手段として機能し、その受信した電源ＯＮ／ＯＦＦ情報を制御部４９に出力する。
さらに、本体情報受信部４７は、ＴＶ受信機本体２の本体情報送信部２７から送信される信号であって、該ＴＶ受信機本体２が電源ＯＦＦとされた際に表示されていた放送種別とチャンネル番号とに関する状態情報を受信する本発明の状態情報受信手段として機能し、その受信した状態情報を制御部４９に出力する。
【００５５】
記憶部４８は、記憶手段として、例えば、制御部４９から入力される制御信号に従って、電源情報受信部４３で受信した電源ＯＦＦ情報を記憶する。さらに、記憶部４８は、制御部４９から入力される制御信号に従って、ＴＶ受信機本体２の本体情報送信部２７から送信され上記本体情報受信部４７で受信した状態情報を記憶する。
【００５６】
制御部４９は、例えば、図３に示すように、ＣＰＵ４９１と、ＲＡＭ４９２と、ＲＯＭ４９３と、等を備えている。
【００５７】
ＣＰＵ４９１は、ＲＯＭ４９３に記憶されたリモコン装置４用の各種処理プログラムに従って各種の制御動作を実行する。
【００５８】
ＲＡＭ４９２は、ＣＰＵ４９１によって実行される処理プログラムなどを展開するためのプログラム展開領域や、入力データや上記処理プログラムが実行される際に生じる処理結果などを格納するデータ格納領域などを備えている。
【００５９】
ＲＯＭ４９３には、リモコン装置４で実行可能なシステムプログラム、当該システムプログラムで実行可能な各種処理プログラム、これら各種処理プログラムを実行する際に使用されるデータなどが記憶されている。なお、プログラムは、コンピュータが読み取り可能なプログラムコードの形でＲＯＭ４９３に記憶されている。
【００６０】
具体的に、ＲＯＭ４９３には、第１特定制御プログラム４９３ａと、第２特定制御プログラム４９３ｂと、制御信号送信制御プログラム４９３ｃと、確認情報受信制御プログラム４９３ｄと、状態情報受信制御プログラム４９３ｅと、第１表示制御プログラム４９３ｆと、第２表示制御プログラム４９３ｇと、報知制御プログラム４９３ｈと、が記憶されている。
【００６１】
第１特定制御プログラム４９３ａは、リニアエンコーダ４２からの検出結果に基づいて、複数の放送種別から一の放送種別を特定する機能を、ＣＰＵ４９１に実現させる。
具体的に、ＣＰＵ４９１は、第１特定制御プログラム４９３ａを実行することにより、例えば、図４に示すように、本体部４ａからダイヤル４１を右側にスライド移動して引き出したり、又は該ダイヤル４１を引き出した状態から、ダイヤル４１を左側にスライド移動して本体部４ａの側面に押し戻したりすることでエンコーダ４２から入力された検出信号によりダイヤル４１の軸方向のスライド位置を特定し、当該ダイヤル４１の軸方向のスライド位置に対応付けられた放送種別を特定する。
ＣＰＵ４９１は、かかる第１特定制御プログラム４９３ａを実行することにより第１特定手段として機能する。
【００６２】
第２特定制御プログラム４９３ｂは、ロータリエンコーダ４３により検出されたダイヤル４１の回転角度に応じて複数のチャンネル番号の中から一のチャンネル番号を特定させる機能を、ＣＰＵ４９１に実現させる。
具体的に、ＣＰＵ４９１は、第２特定制御プログラム４９３ｂを実行することにより、例えば、ダイヤルの回転によるロータリエンコーダ４３からの検出信号に基づく回転角度が所定のステップ（例えば、３０度）毎に、時計回り方向の回転の場合には、チャンネル番号を１ずつ増加させ、反時計回りの回転の場合には、チャンネル番号を１ずつ減少させてチャンネル番号を特定する。
ＣＰＵ４９１は、かかる第２特定制御プログラム４９３ｂを実行することにより第２特定手段として機能する。
【００６３】
第１表示制御プログラム４９３ｆは、第１特定制御プログラム及び第２特定制御プログラム４９３ｂを実行するＣＰＵ４９１により特定された放送種別又はチャンネル番号を表示部４４に表示させる機能を、ＣＰＵ４９１に実現させる。
具体的に、ＣＰＵ４９１は、第１表示制御プログラム４９３ｆを実行することにより、例えば、ダイヤル４１のスライド位置及び回転角度に基づき特定される制御情報に対応付けられた放送種別及びチャンネル番号を表示部４４に表示させる。
ＣＰＵ４９１は、かかる第１表示制御プログラム４９３ｆを実行することにより第１表示制御手段として機能する。
【００６４】
制御信号送信制御プログラム４９３ｃは、第１特定制御プログラム４９３ａ及び第２特定制御プログラム４９３ｂを実行するＣＰＵ４９１により特定された放送種別又はチャンネル番号に関する制御情報を、ＴＶ受信機本体２に送信させる機能を、ＣＰＵ４９１に実現させる。
具体的に、ＣＰＵ４９１は、制御信号送信制御プログラム４９３ｆを実行することにより、例えば、第１特定制御プログラム４９３ａ及び第２特定制御プログラム４９３ｂを実行するＣＰＵ４９１により放送種別及びチャンネル番号が特定されると、当該放送種別及びチャンネル番号に関する制御情報を含むリモコン信号を、リモコン信号送信部４６からＴＶ受信機本体２に送信させる。
ＣＰＵ４９１は、かかる制御信号沿送信制御プログラム４９３ｃを実行することにより制御情報送信手段として機能する。
【００６５】
確認情報受信制御プログラム４９３ｄは、ＴＶ受信機本体２における確認情報送信手段たる本体情報送信部２７から送信された確認情報を、リモコン装置４の確認情報受信手段たる本体情報受信部４７に受信させる機能を、ＣＰＵ４９１に実現させる。
具体的に、ＣＰＵ４９１は、確認情報受信制御プログラム４９３ｃを実行することにより、例えば、ＴＶ受信機本体２の本体情報送信部２７から確認情報が送信されると、本体情報受信部４７にその確認情報を受信させる。
ＣＰＵ４９１は、かかる確認情報受信制御プログラム４９３ｄを実行することで確認情報受信手段等として機能する。
【００６６】
状態情報受信制御プログラム４９３ｅは、ＴＶ受信機本体２が電源ＯＦＦとされた際に、ＴＶ受信機本体２の本体情報送信部２７から送信される、当該電源ＯＦＦ時にＴＶ受信機本体２で選択されている放送種別及びチャンネル番号に関する状態情報を、リモコン装置４の本体情報受信部４７に受信させる機能を、ＣＰＵ４９１に実現させる。
具体的に、ＣＰＵ４９１は、状態情報受信制御プログラム４９３ｅを実行することにより、例えば、ＴＶ受信機本体２が電源ＯＦＦとされた際に、ＴＶ受信機本体２から送信される状態情報を本体情報受信部４７に受信させ、その状態情報に含まれる放送種別及びチャンネル番号を記憶部４８に記憶させる。
ＣＰＵ４９１は、かかる状態情報受信制御プログラム４９３ｅを実行することで、状態情報受信手段として機能する。
【００６７】
第２表示制御プログラム４９３ｇは、電源ＯＮ／ＯＦＦキーにより、ＴＶ受信機本体２の電源がＯＮとされた場合に、記憶部４８に記憶された状態情報に基づく放送種別及びチャンネル番号を表示部４４に表示させる機能を、ＣＰＵ４９１に実現させる。
具体的に、ＣＰＵ４９１は、第２表示制御プログラム４９３ｇを実行することにより、例えば、リモコン装置４の電源キー４１ａの押下によってＴＶ受信機本体２の電源がＯＮとされた際に、当該リモコン装置４内において電源キー４１ａが押下されたことを検出し、又は、電源ＯＮに伴うＴＶ受信機本体２からの確認信号を検出することで、記憶部４８に記憶されている最新の状態情報を読み込み、その状態情報に含まれる放送種別及びチャンネル番号を表示部４４に出力して表示させる。
ＣＰＵ４９１は、かかる第２表示制御プログラム４９３ｇを実行することにより第２表示制御手段として機能する。
【００６８】
報知制御プログラム４９３ｈは、本体情報受信部４７により受信された確認情報をユーザに報知させる機能を、ＣＰＵ４９１に実現させる。
具体的に、ＣＰＵ４９１は、報知制御プログラム４９３ｈを実行することにより、本体情報受信部４７においてＴＶ受信機本体２から確認情報を受信した際に、例えば、ＬＥＤランプを点滅させるなどして報知部４５を作動（ＯＮ）させることで、当該リモコン装置４においてＴＶ受信機本体２から確認情報を受信したことをユーザに報知する。
ＣＰＵ４９１は、報知制御プログラム４９３ｈを実行することにより報知制御手段として機能する。
【００６９】
＜放送種別及びチャンネル番号の選択処理＞
次に、図６に示すフローチャートに基づき、ダイヤル４１の操作による、放送種別及びチャンネル番号の選択処理動作について、詳しく説明する。
まず、ユーザにより、ダイヤル４１が操作されると、ＣＰＵ４９１は、第１特定制御プログラム４９３ａを実行することにより、リニアエンコーダ４２を監視してダイヤル４１のスライド移動が検出されたか否かの判断を行う（ステップＳ１１）。そして、ステップＳ１１においてスライド移動が検出されない場合（ステップＳ１１；Ｎｏ）、ＣＰＵ４９１は、回転操作が検出されたか否かの判断（ステップＳ１３）に移行する。一方、ステップＳ１１においてダイヤル４１のスライド移動が検出された場合（ステップＳ１１；Ｙｅｓ）、ＣＰＵ４９１は、ダイヤル４１のスライド位置に対応付けられた放送種別を特定し（ステップＳ１２）、ステップＳ１５に移行する。
ステップＳ１３において、ＣＰＵ４９１は、第２特定制御プログラム４９３ｂを実行することにより、ロータリエンコーダ４３を監視してダイヤル４１が回転操作されたか否かの判断を行い、回転が検出された場合（ステップＳ１３；Ｙｅｓ）、その回転角度によりチャンネル番号（例えば、１〜１２）を特定する（ステップＳ１４）。
【００７０】
ステップＳ１２及びステップＳ１４を経て放送種別又はチャンネル番号が特定されると、ＣＰＵ４９１は、第２表示制御プログラム４９３ｇを実行することで、リモコン装置４の表示部４４を更新する（ステップＳ１５）制御を行う。
【００７１】
そして、ＣＰＵ４９１は、制御信号送信制御プログラム４９３ｃを実行してリモコン信号送信部４６からリモコン信号受信部２６に制御信号を送信する（ステップＳ１６）。
【００７２】
リモコン信号受信部２６で制御信号を受信すると（ステップＳ１９）、ＣＰＵ２８１は、本体情報送信部２７から本体情報受信部４７に確認情報を送信する（ステップＳ２０）とともに、リモコン装置４で選択された放送種別及びチャンネル番号を表示して（ステップＳ２１）処理を終了する。
【００７３】
一方、本体情報受信部４７が確認情報を受信すると（ステップＳ１７）、ＣＰＵ４９１は、報知部４５をＯＮとして（ステップＳ１８）処理を終了する。
【００７４】
＜電源ＯＮ／ＯＦＦ切換処理＞
次に、ＴＶ受信機１によるＴＶ受信機本体２の電源ＯＮから電源ＯＦＦへの切換に関する処理について、図７のフローチャートを参照して説明する。
【００７５】
まず、ユーザによりリモコン装置４の電源キー４１ａが押下されると（ステップＳ３１）、リモコン装置４のＣＰＵ４９１は、制御信号送信制御プログラム４９３ｃを実行して、ＴＶ受信機本体２の電源をＯＦＦにするためのリモコン信号をリモコン信号送信部４６からリモコン信号受信部２６に送信する（ステップＳ３２）。
【００７６】
リモコン信号受信部２６において、該ＴＶ受信機本体２の電源をＯＦＦにするためのリモコン信号が受信されると（ステップＳ３５）、ＴＶ受信機本体２のＣＰＵ２８１は、リモコン信号解析プログラム２８３ａ、電源情報送信制御プログラム２８３ｃ及び状態情報送信制御プログラム２８３ｄを実行して、電源ＯＦＦ直前の状態情報、すなわち、当該ＴＶ受信機本体２において電源ＯＦＦ直前に選択されている放送種別とチャンネル番号とに関する情報を本体情報送信部２７から本体情報受信部４７に送信する（ステップＳ３６）とともに、ＴＶ受信機本体２の電源をＯＦＦ（ステップＳ３７）にして、処理を終了する。
【００７７】
一方、本体情報受信部４７において、電源ＯＦＦ直前のＴＶ受信機本体２の状態情報を受信すると（ステップＳ３３）、ＣＰＵ４９１は、その状態情報を記憶部４８に格納（ステップＳ３４）して、処理を終了する。
【００７８】
＜電源ＯＦＦ／ＯＮ切換処理＞
次に、ＴＶ受信機１によるＴＶ受信機本体２の電源ＯＦＦから電源ＯＮへの切換に関する処理について、図８のフローチャートを参照して説明する。
【００７９】
まず、ユーザによりリモコン装置の電源キー４１ａが押下されると（ステップＳ４１）、リモコン装置４のＣＰＵ４９１は、制御信号送信制御プログラム４９３ｃを実行して、ＴＶ受信機本体２の電源をＯＮにするためのリモコン信号をリモコン信号送信部４６からリモコン信号受信部２６に送信する（ステップＳ４２）。
【００８０】
リモコン信号受信部２６において、該ＴＶ受信機本体２の電源をＯＮにするためのリモコン信号が受信されると（ステップＳ４５）、ＴＶ受信機本体２のＣＰＵ２８１は、リモコン信号解析プログラム２８３ａを実行してＴＶ受信機本体２の電源をＯＮ（ステップＳ４６）にして、処理を終了する。
【００８１】
一方、リモコン装置４のＣＰＵ４９１は、記憶部４８に格納されている状態情報を読み込み（ステップＳ４３）、第２表示制御プログラム４９３ｇを実行することで、電源ＯＦＦ直前にＴＶ受信機本体２において選択されていた放送種別及びチャンネル番号を、当該リモコン装置４の表示部４４に表示する処理を実行（ステップＳ４４）して、処理を終了する。
【００８２】
以上説明したように、本実施形態たるテレビジョン受信機１によれば、リニアエンコーダ４２により、本体部４ａの側面に設けられたダイヤル４１のスライド移動を検出することができ、その検出信号に応じて、複数の放送種別から一の放送種別を特定して表示部４４に表示することができると共にＴＶ受信機本体２に送信することができる。また、ロータリエンコーダ４３が検出したダイヤル４１の回動位置に基づき、複数のチャンネル番号から一のチャンネル番号を特定して表示手段に表示することができると共にＴＶ受信機本体２に送信することができる。
【００８３】
つまり、本実施形態たるテレビジョン受信機１によれば、ダイヤル４１をスライド操作及び回動操作することにより、所望の放送種別及び所望のチャンネル番号を容易に選択することができる。また、ユーザは、表示部４４に表示される放送種別の種類やチャンネルを確認しながら、或いは、確認することなく感覚的にダイヤル４１を操作することができるため、操作性の向上が図られる。また、例えば、本体部４ａに数字入力用のボタンが多数配置された従来のリモコン装置に比べて、リモコン装置面積の大部分を占める数字入力用のボタンを有しないため、操作性及び機能性を維持したままリモコン装置の小型化を図ることができる。また、従来のリモコン装置に比べて本体部の大きさを大型化することなく機能の増加に対応することができる。
【００８４】
さらに、放送種別又はチャンネル番号に関する制御情報がＴＶ受信機本体２によって受信されると、その受信した旨の確認情報をリモコン装置４に送信することができ、リモコン装置４においては、確認情報を受信したことを報知部４４が点滅等することによってユーザに報知することができる。つまり、ユーザは、リモコン装置を操作することで選択した放送種別とチャンネル番号とが、テレビジョン受信機本体において認識されているか否かを確認することができる。
【００８５】
さらにＴＶ受信機本体２が電源ＯＦＦとされた際に選択されている放送種別及びチャンネル番号に関する状態情報をリモコン装置４に送信することができる。そして、リモコン装置４は、ＴＶ受信機本体２から送信された状態情報を記憶部４８において記憶することができる。また、リモコン装置４に設けられた電源ＯＮ／ＯＦＦキー４１ａによりＴＶ受信機本体２の電源がＯＮとされた場合に、記憶部４８に記憶された状態情報に基づく放送種別及びチャンネル番号を表示部４４に表示することができる。
【００８６】
つまり、ＴＶ受信機本体２において放送種別又はチャンネル番号が変更された際に、該ＴＶ受信機本体２から送信される状態情報に基づき、表示部４４の表示を、対応する放送種別及びチャンネル番号に更新できると共に、ＴＶ受信機本体２が電源ＯＦＦとされた際に該ＴＶ受信機本体２から送信される状態情報に基づき、表示部４４の表示を、対応する放送種別及びチャンネル番号に更新して表示することができる。
【００８７】
従って、例えば、ＴＶ受信機本体２側における操作によって放送種別やチャンネル番号が変更された場合や、或いは、ＴＶ受信機本体２が電源ＯＦＦの際にダイヤル４１が操作された場合であっても、リモコン装置４の表示部４４に表示される放送種別及びチャンネル番号と、ＴＶ受信機本体２側において選択されている放送種別及びチャンネルとを常に対応させることができる。
【００８８】
（ダイヤル配置の変形例）
また、ダイヤル１４１は、例えば、図９に示すように、リモコン装置１４０の上面に配置し、ダイヤルを上面に対して平行にスライド可能に構成してもよい。つまり、図９では、例えば、リモコン装置１４０の上面に沿って左右にスライド移動可能に設けられたダイヤル１４１が、左右の位置でそれぞれ回動自在となっている。そして、例えば、ダイヤル１４１の左右のスライド位置により放送種別を特定することができ、例えば、ダイヤル１４１の回動操作によってチャンネル番号を特定することができるようになっている。かかる構成とした場合にも、従来の数字入力用の数字キーを有する場合と比較して、操作性や機能性を維持したままリモコン装置の小型化を図ることができる。加えて、ダイヤル１４１を片手で操作し易くなることとなって、より操作性に優れたものとすることができる。
【００８９】
なお、本実施形態では、第２特定制御プログラム４９３ｂとＣＰＵ４９１とにより実現される第２特定手段が、ロータリエンコーダ４３からの検出信号に基づき３０°ごとに連続する数値を割り当てて特定することとしているが、一の数値に対応するダイヤル４１の回転角度はこれに限定されるものではなく、ユーザ所望の角度に設定することが可能であることは言うまでもない。
【００９０】
また、本実施形態では、ダイヤル４１に割り当てられる数値を「１〜１２」としたが、これに限定されるものではなく、例えば、「１〜９」、或いは、「１」から所望の数値とすることができる。
【００９１】
また、上記実施形態において、ダイヤル４１の回転角度に対応する数値のうち、「１０〜１２」の各数値には、「０」を対応させることとしてもよいし、そのまま「１０〜１２」の数値を対応させて、一度の入力で２桁（例えば、１０、１１又は１２）の数値を入力可能としてもよい。
【００９２】
また、リモコン装置４は、ＴＶ受信機本体２の本体情報送信部２７から電源ＯＦＦ信号を受信した場合、当該リモコン装置４の操作を無効として放送種別の選択及びチャンネル選局のための操作を無効としてもよい。
【００９３】
また、本実施形態では、スライド検出手段としてリニアエンコーダ４２を用いたが、例えば、ダイヤル４１のスライド移動方向にスイッチを配設する構成としてもよい。
【００９４】
また、本実施形態では、ダイヤル４１のスライド移動に応じて複数の放送種別から一の放送種別を選択する構成としているが、例えば、ダイヤル４１を、スライド移動によって放送種別選択用のスライド位置と、チャンネル選択用のスライド位置との二位置に切替可能とし、放送種別選択用のスライド位置においてダイヤル４１を回転操作することで、複数の放送種別の中から一の放送種別を選択する構成としてもよい。かかる構成とした場合、放送種別選択用のスライド位置におけるダイヤル４１の回転角度に応じて、各放送種別を対応付けることで、容易に放送種別を選択することができる。
【図面の簡単な説明】
【００９５】
【図１】本実施形態におけるテレビジョン受信機の構成を示す図である。
【図２】本実施形態におけるＴＶ受信機本体の機能的構成を示すブロック図である。
【図３】本実施形態におけるリモコン装置の機能的構成を示すブロック図である。
【図４】本実施形態におけるリモコン装置の構成を示す概略斜視図である。
【図５】本実施形態におけるリモコン装置の表示部に表示される放送種別及びチャンネル番号例を示す概念図である。
【図６】本実施形態におけるテレビジョン受信機によるＴＶ受信機の電源ＯＮから電源ＯＦＦへの切換に関する処理を示すフローチャートである。
【図７】本実施形態におけるテレビジョン受信機によるＴＶ受信機の電源ＯＦＦから電源ＯＮへの切換に関する処理を示すフローチャートである。
【図８】本実施形態におけるダイヤル操作により放送種別とチャンネル番号とを選択する動作を示すフローチャートである。
【図９】本発明を適用したその他の例を示す概略図である。
【符号の説明】
【００９６】
１  テレビジョン受信機
２  ＴＶ受信機本体（テレビジョン受信機本体）
２７  本体情報送信部（電源情報送信手段、確認情報送信手段、状態情報送信手段）
２９１  ＣＰＵ（電源情報送信手段）
２９３ｂ  確認情報送信制御プログラム（確認情報送信手段）
２９３ｃ  電源情報送信制御プログラム（電源情報送信手段）
２９３ｄ  状態情報送信制御プログラム（状態情報送信手段）
４  リモコン装置
４ａ  本体部
４１  ダイヤル
４１ａ  電源キー（電源ＯＮ／ＯＦＦキー）
４６  リモコン信号送信部（リモコン信号送信手段）
４７  本体情報受信部（電源情報受信手段、確認情報受信手段、状態情報受信手段）
４８  記憶部（記憶手段）
４９１  ＣＰＵ（リモコン信号送信手段、消去手段）
４９３ａ  第１特定制御プログラム（第１特定手段）
４９３ｂ  第２特定制御プログラム（第２特定手段）
４９３ｃ  リモコン信号送信制御プログラム（リモコン信号送信手段）
４９３ｄ  確認情報受信制御プログラム（確認情報受信手段）
４９３ｅ  状態情報受信制御プログラム（状態情報受信手段）
４９３ｆ  第１表示制御プログラム（第１表示制御手段）
４９３ｇ  第２表示制御プログラム（第２表示制御手段）
４９３ｈ  報知制御プログラム（報知制御手段）
４６  表示部（表示手段）
４７  報知部（報知手段）
４２  エンコーダ（スライド検出手段）
４３  ロータリエンコーダ（角度検出手段）
【図１】
2008228175.tif 000003
【図２】
2008228175.tif 000004
【図３】
2008228175.tif 000005
【図４】
2008228175.tif 000006
【図５】
2008228175.tif 000007
【図６】
2008228175.tif 000008
【図７】
2008228175.tif 000009
【図８】
2008228175.tif 000010
【図９】
2008228175.tif 000011